(57)【特許請求の範囲】
【請求項１】
ファイバ心線と、前記ファイバ心線を被覆する被覆部と、を少なくとも有し、ケーブル部が略円断面形状である光ファイバケーブルであって、
前記被覆部の断面において、
前記被覆部の外周から複数のＶ字状のノッチが形成され、
少なくとも一対の前記ノッチは、前記被覆部の互いに対向する位置に設けられ、
一対の前記ノッチの先端同士を結ぶ直線状の切断線上に口開け起点部が配置され、
前記被覆部の除去の際に、刃物の直線状の刃面が一対の前記ノッチの下端面と面接触するように、前記ノッチの下端面が、前記切断線と平行であり、かつ、前記切断線の延長線と略一致することを特徴とする光ファイバケーブル。
【請求項２】
前記口開け起点部は、引き裂き紐であることを特徴とする請求項１記載の光ファイバケーブル。
【請求項３】
前記切断線が、前記引き裂き紐の中心から前記引き裂き紐の外端までの間に位置するように前記ノッチが設けられることを特徴とする請求項２記載の光ファイバケーブル。
【請求項４】
前記口開け起点部は、前記ファイバ心線を保持する緩衝層に連通する凹部であることを特徴とする請求項１記載の光ファイバケーブル。
【請求項５】
前記凹部には、充填剤が充填されることを特徴とする請求項４記載の光ファイバケーブル。
【請求項６】
前記ノッチには、充填剤が充填されることを特徴とする請求項１から請求項５のいずれかに記載の光ファイバケーブル。
【請求項７】
ファイバ心線と、前記ファイバ心線を被覆する被覆部と、を少なくとも有し、ケーブル部が略円断面形状であり、
前記被覆部の断面において、
前記被覆部の外周から複数のＶ字状のノッチが形成され、
少なくとも一対の前記ノッチは、前記被覆部の互いに対向する位置に設けられ、
前記ノッチの上端面および下端面のいずれもが、一対の前記ノッチの先端同士を結ぶ直線状の切断線の延長線との重なり部を形成せず、下端面が、前記切断線と平行であり、かつ、前記切断線の延長線と略一致している光ファイバケーブルの分岐方法であって、
前記切断線上に引き裂き紐が配置され、
直線状の刃面を具備する刃物を用いて、
前記光ファイバケーブルの分岐対象部に対して、前記ノッチの先端の深さまで前記刃物を入れ、前記被覆部の一部をそぎ落として前記刃物の幅よりも長い範囲に切除部を作成し、
前記刃物の直線状の刃面が一対の前記ノッチの下端面と面接触するように前記切除部に前記刃物を配置して、前記ノッチに沿って前記光ファイバケーブルの軸方向に前記刃物を移動させることによって前記切断線を直線状に切断して前記引き裂き紐を露出させ、
前記引き裂き紐を引き剥がすことで、内部のファイバ心線を露出させ、前記ファイバ心線を取り出すことを特徴とする光ファイバケーブルの分岐方法。
【発明の詳細な説明】
【技術分野】
【０００１】
本発明は、分岐作業性に優れる光ファイバケーブルおよび光ファイバケーブルの分岐方法に関するものである。
【背景技術】
【０００２】
従来、光ファイバケーブルは、光ファイバ心線が外被で被覆されたものが用いられている。使用時には、このような光ファイバケーブルが分岐され、複数の住居等に配線される。
【０００３】
このような、光ファイバケーブルとしては、例えば、ケーブルシース内面にシース内に食い込む長手方向に連続するノッチを有し、ケーブルシース外面にノッチと並行してノッチの両側を挟んで付け根部が位置する突起を有している光ファイバケーブルがある（特許文献１）。
【０００４】
また、ケーブルシース外面に中心に向かってシース内に食い込む長手方向に連続する少なくとも２つの外部ノッチを有し、この２つの外部ノッチの先端間を結ぶ直線がシース内に存在し、ケーブルシース内面に外部ノッチと並行して２つの外部ノッチの間に位置するようにシース引裂き手段が形成されている光ファイバケーブルがある（特許文献２）。
【先行技術文献】
【特許文献】
【０００５】
【特許文献１】特開２００８−１５８１７７号公報
【特許文献２】特開２００８−１５８３６８号公報
【発明の概要】
【発明が解決しようとする課題】
【０００６】
しかしながら、特許文献１のように突起を形成したのでは、ファイバケーブルをドラムに巻きつける際に巻き付け性が悪く、また、敷設時に、このような小突起は容易に摩耗して損傷する恐れがある。また、特許文献１、２いずれの光ファイバケーブルも、内部の光ファイバ心線を分岐させる場合には切断工具が用いられるが、作業が危険であり、切断工具がすべる恐れがある。
【０００７】
一方、このような光ファイバケーブルの被覆の除去には、専用の切断工具ではなく、一般のカッタ等の刃物を用いる場合もある。この場合には、内部に設けられる口開け起点部に対して、外周から少しずつ刃物で被覆部を除去していく必要がある。
【０００８】
しかしながら、このような方法では、内部の口開け起点部を露出させるために時間を要し、また、内部の光ファイバを傷める恐れがある。
【０００９】
本発明は、このような問題に鑑みてなされたもので、被覆除去が容易であり、分岐作業性に優れる光ファイバケーブル等を提供することを目的とする。
【課題を解決するための手段】
【００１０】
前述した目的を達するために第１の発明は、ファイバ心線と、前記ファイバ心線を被覆する被覆部と、を少なくとも有し、ケーブル部が略円断面形状である光ファイバケーブルであって、前記被覆部の断面において、前記被覆部の外周から複数のＶ字状のノッチが形成され、少なくとも一対の前記ノッチは、前記被覆部の互いに対向する位置に設けられ、一対の前記ノッチの先端同士を結ぶ直線状の切断線上に口開け起点部が配置され、前記被覆部の除去の際に、刃物の直線状の刃面が一対の前記ノッチの下端面と面接触するように、前記ノッチ部の下端面が、前記切断線と平行であり、かつ、前記切断線の延長線と略一致することを特徴とする光ファイバケーブルである。
【００１２】
前記口開け起点部は、引き裂き紐であってもよい。この場合、前記切断線が、前記引き裂き紐の中心から前記引き裂き紐の外端までの間に位置するように前記ノッチが設けられることが望ましい。
【００１３】
前記口開け起点部は、前記光ファイバ心線を保持する緩衝層に連通する凹部であってもよい。この場合、前記凹部には、充填剤が充填されてもよい。
【００１４】
前記ノッチ部には、充填剤が充填されてもよい。
【００１５】
第１の発明によれば、被覆部の外周に少なくとも一対のノッチが設けられ、このノッチの先端を結ぶ切断線上に、口開け起点部が設けられる。したがって、ノッチの先端を結ぶように刃物で切断することで、確実に口開け起点部を露出させることができる。この際、当該切断線上にノッチの上端面または下端面が重ならないため、ノッチ先端をつなぐ切断線上を確実に刃物で切断することができる。
【００１６】
また、ノッチ部の下端面が、切断線と平行であり、かつ、切断線の延長線と略一致するため、被覆部の除去の際に、刃物の刃面がノッチ部の下端面と面接触する。すなわち、刃物でファイバの被覆部を軸方向に沿って切断する際、刃物を当該下端面に沿うように移動させることができる。このため、被覆除去時に刃物をまっすぐに移動させることができる。したがって、内部の光ファイバ心線を損傷したり、口開け起点部を過剰に切れ込んだりすることがない。また、一度の切断で確実に口開け起点部を露出させることができる。
【００１７】
口開け起点部としては、引き裂き紐を用いることができる。この場合、切断線の位置が、引き裂き紐の中心から外端（光ファイバケーブルの中心から見て、径方向に最外周となる部位であって、当該中心に対して引き裂き紐の外接円との接点）の間に位置するようにノッチが設けられることで、当該切断線に沿って刃物で被覆部を除去する際に、引き裂き紐を切断したり、内部の光ファイバ心線を損傷したりすることがない。
【００１８】
また、口開け起点部として、緩衝層に連通する凹部とすることもできる。この場合、充填剤を凹部に充填することで、凹部に光ファイバ心線が入り込むことを防止することができる。このため、被覆部を除去する際に、内部の光ファイバ心線を損傷することがない。
【００１９】
また、外周のノッチ部に充填材を設けることで、外形が略円断面となり、例えばクロージャ等に配置する場合でも、光ファイバケーブル外周の止水が容易となる。
【００２０】
第２の発明は、ファイバ心線と、前記ファイバ心線を被覆する被覆部と、を少なくとも有し、ケーブル部が略円断面形状であり、前記被覆部の断面において、前記被覆部の外周から複数のＶ字状のノッチが形成され、少なくとも一対の前記ノッチは、前記被覆部の互いに対向する位置に設けられ、前記ノッチ部の上端面および下端面のいずれもが、一対の前記ノッチの先端同士を結ぶ直線状の切断線の延長線との重なり部を形成せず、下端面が、前記切断線と平行であり、かつ、前記切断線の延長線と略一致している光ファイバケーブルの分岐方法であって、前記切断線上に引き裂き紐が配置され、直線状の刃面を具備する刃物を用いて、前記光ファイバケーブルの分岐対象部に対して、前記ノッチの先端の深さまで前記刃物を入れ、前記被覆部の一部をそぎ落として前記刃物の幅よりも長い範囲に切除部を作成し、前記刃物の直線状の刃面が一対の前記ノッチの下端面と面接触するように前記切除部に前記刃物を配置して、前記ノッチに沿って前記光ファイバケーブルの軸方向に前記刃物を移動させることによって前記切断線を直線状に切断して前記引き裂き紐を露出させ、前記引き裂き紐を引き剥がすことで、内部のファイバ心線を露出させ、前記ファイバ心線を取り出すことを特徴とする光ファイバケーブルの分岐方法である。
【００２１】
第２の発明によれば、内部の光ファイバ心線が刃で損傷を受けることがなく、容易に分岐を行うことができる。
【発明の効果】
【００２２】
本発明によれば、被覆除去が容易であり、分岐作業性に優れる光ファイバケーブル等を提供することができる。
【図面の簡単な説明】
【００２３】
【図１】光ファイバケーブル１の断面図であり、（ａ）は全体図、（ｂ）は（ａ）のＡ部拡大図。
【図２】切断線１３と引き裂き紐１１の位置関係を示す図。
【図３】被覆部の一部を切除して切除部１８を設ける工程を示す図で、（ａ）は正面図、（ｂ）は断面図。
【図４】刃物１９によって被覆部を除去する工程を示す図で、（ａ）は正面図、（ｂ）は断面図。
【図５】ノッチ５の形状を示す図で、（ａ）はノッチの上端面および下端面が切断線と重ならない状態を示す図、（ｂ）は比較例として切断線と下端面とが重なる状態を示す図、（ｃ）は比較例として切断線と上端面とが重なる状態を示す図。
【図６】望ましい切断線とノッチの形状とを示す図。
【図７】（ａ）は光ファイバケーブル３０を示す断面図、（ｂ）は光ファイバケーブル３０ａを示す断面図。
【図８】（ａ）は光ファイバケーブル４０を示す断面図、（ｂ）は光ファイバケーブル４０ａを示す断面図。
【図９】（ａ）は光ファイバケーブル１ａを示す断面図、（ｂ）は光ファイバケーブル３０ｂを示す断面図。
【図１０】光ファイバケーブル５０を示す断面図。
【発明を実施するための形態】
【００２４】
以下、図面を参照しながら、本発明の実施形態について説明する。図１は、光ファイバ１の断面図であり、図１（ａ）は全体図、図１（ｂ）は図１（ａ）のＡ部拡大図である。光ファイバケーブル１は、被覆部３、ファイバ心線７、テンションメンバ９、引き裂き紐１１等により構成される。
【００２５】
光ファイバケーブル１の断面略中央位置には、複数のファイバ心線７が配置される。ファイバ心線７は、単心ファイバや、単心ファイバをバンドルしたユニット等であってもよく、テープ心線であっても良い。また、後述する保護層内部に入れる際に、フィルムやテープによって光ファイバ心線全体を縦添え巻きして一体化してもよい。なお、ファイバ心線としては例えば０．２５ｍｍΦの心線を用いることができる。
【００２６】
ファイバ心線７の外周には必要に応じて、緩衝層８が設けられる。緩衝層８は、例えばポリプロピレンヤーンなどの繊維等であり、ファイバ心線７を保持する部位である。なお、緩衝層８は、単に光ファイバ心線３の外周に配置されているのみであり、容易に除去することが可能である。緩衝層８としては、例えば１ｍｍ程度の厚みのポリプロピレンヤーンを用いることができる。
【００２７】
緩衝層８の外周には、被覆部３が設けられる。被覆部３としては、例えば、難燃ポリエチレン等の樹脂が使用できる。被覆部３の内部にはテンションメンバ９が埋設される。テンションメンバ９は、光ファイバケーブル１の張力を受け持つ部位である。テンションメンバ９としては、例えば鋼線、モノフィラメント、アラミド繊維等による繊維補強プラスチック等が使用できる。なお、被覆部３外径としては例えば８ｍｍ程度であり、テンションメンバ９としては１ｍｍΦ程度とすればよい。
【００２８】
緩衝層８の外部であって、テンションメンバ９とは異なる位置には、口開け起点部である引き裂き紐１１が設けられる。引き裂き紐１１は、例えばポリエステル撚り糸を用いることができる。
【００２９】
被覆部３の外周面には複数（望ましくは二対以上であり、図では二対の例を示す）のノッチ５が設けられる。ノッチ５は少なくとも一対形成される。一対のノッチ５は、Ｖ字状のノッチ部であり、互いに対向する方向に向けて形成される。すなわち、ノッチ５は光ファイバケーブル１の中心方向に向けて形成されるものではない。
【００３０】
図１（ｂ）に示すように、一対のノッチ５の先端同士を結ぶ線を切断線１３とする。切断線１３が後述する被覆部３の除去の際に、刃物で切断される部位となる。引き裂き紐１１は、切断線１３上に設けられる。なお、ノッチ５の深さ（切断線１３の延長線と、光ファイバケーブル１の外周円との交点から、ノッチ５の先端までの長さ）は、１．２ｍｍ程度であればよい。ノッチ５の形状については詳細を後述する。
【００３１】
図２は、図１（ｂ）のＢ部拡大図である。図２に示すように、切断線１３は、引き裂き紐１１の中心１５から外端１７（引き裂き紐１１の光ファイバケーブルに対して最外周位置となる端部）の範囲（図中Ｃ）の位置となることが望ましい。このようにすることで、後述する被覆部除去作業時に、誤って引き裂き紐１１や内部のファイバ心線が損傷を受けることを防止することができる。
【００３２】
次に、本発明にかかる光ファイバケーブル１を用いた分岐方法について説明する。図３は、被覆部３の一部を切除して切除部１８を設ける工程を示す図であり、図３（ａ）は正面図、図３（ｂ）は断面図である。まず、図３に示すように、光ファイバケーブル１の分岐対象部に対して、刃物で被覆部３の一部をそぎ落として切除部１８を形成する。切除部１８としては、使用される刃物の幅よりも長い範囲に形成されればよい。
【００３３】
なお、切除部１８を形成する際には、ノッチ５が被覆部３を除去する範囲の目安となる。すなわち、図３（ｂ）に示すように、対向する一対のノッチ５のそれぞれの先端の深さまで刃物を入れることで、刃物が切断線１３よりも下部（光ファイバケーブルの中心方向）に入ることがない。したがって、刃物（切除部１８）が緩衝層８等に入り込むことにより、内部のファイバ心線が損傷を受けることを防止することができる。
【００３４】
次に、図４に示すように、当該切除部１８を起点として、刃物１９により被覆部３を除去する。図４（ｂ）に示すように、切除部１８の略中央部（図３（ａ）における切除部１８の直線部）に刃物１９を配置すると、刃物１９は切断線１３上に配置される。したがって、刃物１９をノッチ５に沿って光ファイバケーブル１の軸方向に移動させることで（図中矢印Ｄ方向）、刃物１９によってノッチ５の上方（光ファイバケーブル１の径方向外周側）の被覆部３を除去することができる。
【００３５】
この際、刃物１９は一対のノッチ５に沿って移動させることができるため、光ファイバケーブル１の軸方向にまっすぐに移動させることができる。すなわち、一回の切断（刃物１９の移動）で、所定範囲の被覆部３を同じ深さで確実に除去することができる。この際、切断深さが一定となるため、内部のファイバ心線７が損傷を受けることがない。
【００３６】
所定範囲の被覆部３が除去されると、当該範囲には内部の引き裂き紐１１が露出する。このため、引き裂き紐１１を取り出して引っ張ることで被覆部３が引き裂かれて口開け部が形成される。したがって、口開け部より、内部のファイバ心線７を取り出すことができる。以上により、分岐作業が行われる。
【００３７】
次に、ノッチ５の形状について説明する。図５は、それぞれノッチ５の形状を変化させた光ファイバケーブル１の部分拡大図である。断面におけるノッチ５の一方の端面（内面）を上端面５ａとし、他方の端面（内面）を下端面５ｂとする。すなわち、ノッチ５は上端面５ａと下端面５ｂとにより構成される。ノッチ５の角度（上端面５ａと下端面５ｂとの角度）としては、例えば２５°程度でよい。
【００３８】
図５（ａ）に示すように、本発明では、切断線１３の延長線を仮想すると、当該直線と、ノッチ５の上端面５ａおよび下端面５ｂとが重なることがない。すなわち、ノッチ５の先端を通る切断線１３の延長線によって、ノッチ５の上端面５ａと下端面５ｂとが区分される。このようにすることで、切断面１３を切断する際に、切断範囲が一対のノッチ５の先端同士の間のみとなる。
【００３９】
一方、図５（ｂ）に示すように、ノッチ５が互いの対向方向から、光ファイバケーブル１の中心方向に向くように配置されると、ノッチ５の先端を通る切断線１３の延長線の上方側（光ファイバケーブル１の外周方向）に、ノッチ５の上端面５ａと下端面５ｂとの両方が位置する。すなわち、切断線１３と下端面５ｂとの重なり部２１が形成される。このため、切断面１３を切断する際に、刃物によって重なり部２１が削られるように切断される。したがって、切断抵抗が大きく、当該部位の切断屑が発生する。
【００４０】
同様に、図５（ｃ）に示すように、ノッチ５が互いの対向方向から、光ファイバケーブル１の外周方向に向くように配置されると、ノッチ５の先端を通る切断線１３の延長線の下方側（光ファイバケーブル１の中心方向）に、ノッチ５の上端面５ａと下端面５ｂとの両方が位置する。すなわち、切断線１３と上端面５ａとの重なり部２１が形成される。このため、切断面１３を切断する際に、刃物によって重なり部２１が削られるように切断される。したがって、切断抵抗が大きく、当該部位の切断屑が発生する。したがって、切断抵抗が大きく、当該部位の切断屑が発生する。
【００４１】
以上のように、本発明では、図５（ａ）で示すように、切断線１３（の延長線）がノッチ５で被覆部３と重ならず、切断線１３の延長円方向に開口することが望ましい。
【００４２】
なお、さらに望ましくは、図６に示すように、切断線１３（の延長線）が、ノッチ５の上端面５ａまたは下端面５ｂと平行となることが望ましい（図６は下端面５ｂと切断線１３とが平行な場合を示す）。すなわち、ノッチ５の上端面５ａまたは下端面５ｂと、切断線１３の延長線とが略一致することが望ましい。
【００４３】
このようにすることで、図４に示すように、ノッチ５に沿って刃物１９を移動させる際、例えば刃物１９の下面とノッチ５の下端面５ｂとが面接触し、刃物１９の上下方向の向きをより確実に一定にすることができる。したがって、刃物１９で被覆部３を切断する際に、誤って引き裂き紐１１やファイバ心線７等を切断することがない。
【００４４】
以上説明したように、本実施の形態によれば、内部の光ファイバ心線を傷つけることなく、容易に光ファイバケーブル１に対して分岐を行うことができる。また、被覆部３を刃物１９で切除する際に、ノッチ５が設けられるため、誤って刃物１９を深く入れ過ぎることがなく、また、引き裂き紐１１が露出するまで少しずつ何度も刃物で被覆部をそぎ落とす必要がない。このため、分岐作業性に優れる。
【００４５】
また、ノッチ５の先端を通る切断線１３の延長線によって、ノッチ５の上端面５ａと下端面５ｂとが区分される。このため、刃物１９で被覆部３を切断する際に、ノッチ５の上端面５ａまたは下端面５ｂを削り取ることがない。また、刃物１９の上下方向の向きを安定させることができる。
【００４６】
また、切断線１３が引き裂き紐１１の中心１５から外端１７の間に位置させることで、刃物１９での切断時に引き裂き紐１１や内部にファイバ心線７を切断することがない。
【００４７】
次に、他の実施の形態について説明する。なお、以下の実施の形態において、図１に示した光ファイバケーブル１と同様の機能を奏する構成については、図１と同一の符号を付し、重複した説明を省略する。
【００４８】
図７（ａ）は、光ファイバケーブル３０を示す断面図である。光ファイバケーブル３０は、光ファイバケーブル１に対し、引き裂き紐１１に代えて凹部３１が形成される点で異なる。口開け起点部である凹部３１は、緩衝層８と連通する部位であり、被覆部３の内周面側に形成された凹みである。
【００４９】
凹部３１は、対向する一対のノッチ５の先端を結ぶ線（図１（ｂ）の切断線１３）上に形成される。したがって、図３、図４に示すように、切断線を刃物で切断すると、切断面に凹部３１を露出させることができる。したがって、凹部３１によって被覆部３に口開け部を形成し、内部のファイバ心線７を取り出すことができる。
【００５０】
また、図７（ｂ）に示すような光ファイバケーブル３０ａとしてもよい。光ファイバケーブル３０ａでは、前述した凹部３１に充填剤３３が充填される。充填剤３３は、エラストマー（ゴム）のような低強度破断材料であり、例えば、ＥＥＡ樹脂（エチレン・エチルアクリレート共重合樹脂）やＥＶＡ樹脂（エチレン・酢酸ビニル共重合樹脂）、熱可塑性エラストマー、ポリウレタン、シリコン、低密度ポリエチレン、線状低密度ポリエチレン、中密度ポリオレフィン等を用いることができる。
【００５１】
充填剤３３を凹部３１に充填することで、内部のファイバ心線７が凹部３１に嵌り込むことがない。このため、刃物で凹部３１の一部を切除する際に、凹部３１に嵌り込んだ光ファイバ心線を切断等することがない。
【００５２】
また、図８（ａ）に示すような光ファイバケーブル４０としてもよい。光ファイバケーブル４０は、凹部３１にさらに引き裂き紐１１が設けられるものである。すなわち、光ファイバケーブル１の引き裂き紐１１が凹部３１の内部に設けられるものである。このようにすることで、引き裂き紐１１および凹部３１両者の効果を得ることができる。
【００５３】
また、図８（ｂ）に示すような光ファイバケーブル４０ａとしてもよい。光ファイバケーブル４０ａは、引き裂き紐１１が設けられる凹部３１に、さらに充填剤３３が充填されるものである。このようにすることで、さらに充填剤３３の効果を得ることができる。
【００５４】
また、図９（ａ）、図９（ｂ）に示すように、ノッチ５に充填剤３３が充填される光ファイバケーブル１ａ、３０ｂを用いることもできる。ノッチ５に充填剤３３が充填されることで、光ファイバケーブルの外周面を円断面形状とすることができる。このため、例えば、光ファイバケーブルの外周面にシールを設けて、止水が必要な部位に当該光ファイバケーブルを用いても、ノッチ５を通じて水等が浸入することがない。
【００５５】
また、本発明は、図１０に示すような自己支持型の光ファイバケーブル５０に対しても適用可能である。光ファイバケーブル５０は、例えば光ファイバケーブル１と同様のケーブル部５３に支持線５１が連結されたものである。なお、自己支持型光ファイバケーブルに対しては、支持線５１の部位を除く部位をケーブル部５３とし、ケーブル部５３が略円断面形状であれば本発明に含まれるものである。
【００５６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００５７】
たとえば、上記各実施形態で述べた各構成は、当然にそれぞれを組み合わせることができる。
【符号の説明】
【００５８】
１、１ａ、３０、３０ａ、３０ｂ、４０、４０ａ、５０………光ファイバケーブル
３………被覆部
５………ノッチ
５ａ………上端面
５………下端面
７………ファイバ心線
８………緩衝層
９………テンションメンバ
１１………切り裂き紐
１３………切断線
１５………中心
１７………外端
１８………切除部
１９………刃物
２１………重なり部
３１………凹部
３３………充填剤
５１………支持線
５３………ケーブル部
【図１】
0005863248.tif 000002
【図２】
0005863248.tif 000003
【図３】
0005863248.tif 000004
【図４】
0005863248.tif 000005
【図５】
0005863248.tif 000006
【図６】
0005863248.tif 000007
【図７】
0005863248.tif 000008
【図８】
0005863248.tif 000009
【図９】
0005863248.tif 000010
【図１０】
0005863248.tif 000011